(57)【要約】      （修正有）【課題】終了時間が近いことを表示部に表示するようにしたカラオケシステムを提供する。【解決手段】カラオケ装置６の利用時間を管理する利用時間管理手段１１と、この利用時間管理手段１１に基づいて、カラオケ装置６の利用中に前記利用時間の残時間が一定時間以下になったとき、残時間情報を前記表示装置に表示する残時間情報指示手段とを備えたカラオケシステムにおいて、この表示装置を、メインモニタ７とメッセージ表示部８ａ、８ｂを一体的に構成し、カラオケ装置６の歌詞や背景映像を前記表示装置のメインモニタ７に表示させ、前記残時間情報指示手段の残時間情報を前記表示装置のメッセージ表示部８ａ、８ｂに表示する。【選択図】図１
2013228572.tif 000002
【特許請求の範囲】
【請求項１】
表示装置と、カラオケ演奏と並行して歌詞や背景映像を前記表示装置に表示するカラオケ装置と、このカラオケ装置からカラオケ演奏及び利用者の歌唱をミキシングして出力される音声出力装置と、
該カラオケ装置の利用時間を管理する利用時間管理手段と、この利用時間管理手段に基づいて、前記カラオケ装置の利用中に前記利用時間の残時間が一定時間以下になったとき、残時間情報を前記表示装置に表示する残時間情報指示手段とを備えたカラオケシステムにおいて、
前記表示装置は、メインモニタとメッセージ表示部を一体的に構成してなり、
さらに前記カラオケ装置の歌詞や背景映像を前記表示装置のメインモニタに表示させるとともに、前記残時間情報指示手段の残時間情報を前記表示装置のメッセージ表示部に表示するようにしたことを特徴とするカラオケシステム。
【請求項２】
前記利用時間管理手段と前記残時間情報指示手段は、歌唱者の利用を受け付けるＰＯＳレジであって、このＰＯＳレジによる残時間情報を前記表示装置のメッセージ表示部にネットワークを介して表示するようにしたことを特徴とする前記請求項１記載のカラオケシステム。
【請求項３】
前記音声出力装置は、ヘッドホンで構成してなることを特徴とする前記請求項１乃至２記載のカラオケシステム。
【発明の詳細な説明】
【技術分野】
【０００１】
本発明は、カラオケボックス利用における利用時間の終了時間告知、及びその告知方法の確実性及びシステムの簡略化を目指したカラオケシステムに関する。
【背景技術】
【０００２】
カラオケボックスと称される業態の店舗は、カラオケ装置を設置した部屋（カラオケボックス）を顧客に時間貸しする形態の営業を行っている。顧客は、カラオケボックスをあらかじめ１時間、２時間というように時間単位でレンタルしてカラオケを楽しむが、終了時間に気づかない場合があるため、何らかの方法で終了時間が近づいてきたことを告知する必要がある。
【０００３】
従来は、インターフォンや電話で係員が部屋に対して、直接告知を行うが、利用者が歌唱中である場合などは、サービスの低下を招くおそれがある。また、歌唱中である場合のことを想定して告知をせずに単に自動延長処理をすることも、顧客に対して理想的なサービスとはいえない。いずれの方法であっても係員が個別にしなければならない作業であるため、係員の作業負担が多くなり、システム上コストアップにつながる。
【０００４】
また更に、最近のカラオケ装置の利用形態として、一人でカラオケを楽しむ利用者が増加している。特に集中してカラオケを歌いたいカラオケユーザは、インターフォンなどで歌唱中に店側の終了時間の告知をされることは非常に煩わしいものであり、また店側の告知がなければ歌唱に集中しているために、終了時間が経過してしまうこともあり問題があった。
【０００５】
従来、引用文献１では、カラオケボックス店における制限時間の告知に関するものが開示されている。この特許文献１によると、カラオケ装置に利用時間記憶手段を設けたり、外部に設けられた利用時間記憶手段に基づく管理装置からの信号をカラオケ装置が受け取る構成のものであったので、これらカラオケ装置に係わる各種メーカーが異なるカラオケ装置を入れ替えた場合には、制限時間の告知ができなくなってしまっていた。
【先行技術文献】
【特許文献】
【０００６】
【特許文献１】特許第２９１７８５５号公報
【発明の概要】
【発明が解決しようとする課題】
【０００７】
また、上述した如く一人でカラオケ楽しむ利用者が増加しており、特に集中してカラオケを歌いたいカラオケユーザは、カラオケ背景映像や歌詞を表示する画面にこれら告知情報を表示されることを嫌う傾向にある。
【０００８】
この発明は、カラオケメーカーの機種にこだわらず、終了時間が近いことを表示部の一部に表示するようにしたことにより上記の問題を解決し利用者に確実に告知するようにしたカラオケシステムを提供することを目的とする。
【課題を解決するための手段】
【０００９】
この出願の請求項１の発明は、表示装置と、カラオケ演奏と並行して歌詞や背景映像を前記表示装置に表示するカラオケ装置と、このカラオケ装置からカラオケ演奏及び利用者の歌唱をミキシングして出力される音声出力装置と、該カラオケ装置の利用時間を管理する利用時間管理手段と、この利用時間管理手段に基づいて、前記カラオケ装置の利用中に前記利用時間の残時間が一定時間以下になったとき、残時間情報を前記表示装置に表示する残時間情報指示手段とを備えたカラオケシステムにおいて、
前記表示装置は、メインモニタとメッセージ表示部の二つを一体的に構成してなり、さらに前記カラオケ装置の歌詞や背景映像を前記表示装置のメインモニタに表示させるとともに、前記残時間情報指示手段の残時間情報を前記表示装置のメッセージ表示部に表示するようにしたことを特徴とするカラオケシステム。
【００１０】
この出願の請求項２の発明は、
前記利用時間管理手段と前記残時間情報指示手段は、歌唱者の利用を受け付けるＰＯＳレジであって、このＰＯＳレジによる残時間情報を前記表示装置のメッセージ表示部にネットワークを介して表示するようにしたことを特徴とする前記請求項１記載のカラオケシステム。
【００１１】
この出願の請求項３の発明は、前記音声出力装置は、ヘッドホンで構成してなることを特徴とする前記請求項１乃至２記載のカラオケシステム。
【図面の簡単な説明】
【００１２】
【図１】本発明による実施例を示すカラオケシステムの概念説明図。
【図２】本発明による実施例を示すＰＯＳレジの説明図。
【図３】本発明による実施例を示す表示装置の説明図。
【図４】本発明の実施例を示すカラオケシステムのフロー説明図。
【発明を実施するための形態】
【００１３】
本発明の実施形態を図面に基づいて説明する。
【実施例】
【００１４】
図１に示すように、本発明のカラオケシステム１は構成されている。破線で示される各カラオケボックス２内には、液晶ディスプレイでなる表示装置４と、カラオケ演奏と並行して歌詞や背景映像を前記表示装置４に表示するカラオケ装置６と、このカラオケ装置６からカラオケ演奏及び利用者の歌唱をミキシングして出力される音声出力装置２０が設けられている。そして、そのカラオケ装置６の利用時間を管理する利用時間管理手段とを含むＰＯＳレジ１１からの信号を受けて、表示装置４で残時間情報が表示されるようになっている。
【００１５】
すなわち利用時間管理手段に基づいて、前記カラオケ装置６の利用中に前記利用時間の残時間が一定時間以下になったとき、残時間情報を前記表示装置に表示する残時間情報指示手段も、ＰＯＳレジ１１に備えられている。
【００１６】
また、前記表示装置４は、メインモニタ７とメッセージ表示部８ａ、８ｂ画面が分離され、一体的に構成してなり、それぞれ入力信号は別々に入力されるようになっている。メインモニタ７には、前記カラオケ装置６から歌詞や背景映像信号を受けて表示されるようになっている。またメッセージ表示部８ａ、８ｂには、前記ＰＯＳレジからの信号を受けて、前記残時間情報指示手段による残時間情報を表示するようにしてなるものである。
【００１７】
カラオケ楽曲データなどは、センターサーバからの配信データをルータ３を介してＬＡＮケーブルを通じて、各カラオケ装置６に供給される（図示せず）。一方ＰＯＳレジ１１からの残時間情報は、ＨＵＢ３を介してＬＡＮケーブルを通じて、各表示装置４のメッセージ表示部８ａ、８ｂに直接データが送信されるようになっている。
【００１８】
前記利用時間管理手段と前記残時間情報指示手段は、歌唱者の利用を受け付けるＰＯＳシステムとして構成されるＰＯＳレジ１１であって、このＰＯＳレジ１１による残時間情報を前記表示装置のメッセージ表示部８ａ、８ｂにネットワークを介して表示するようにしたものであるが、図２に示されるようにＰＯＳレジ１１は、キャッシュレジスタ１３、及びレシートを印字するレシート印字部１２、さらに操作パネル１５及びカラオケ利用客がカラオケボックスを利用する利用時間などが管理される記憶部１６及びＰＯＳレジ１１を管理する制御部１７から構成されている。
【００１９】
カラオケ店の従業員は、カラオケ利用客のボックス利用時間を操作パネル１５から入力すると、ＰＯＳレジの内部時計で利用開始時間が設定され、記憶部１６に設定される。ＰＯＳレジ１１の内部で各カラオケボックス２毎に利用時間が管理されて、残時間表示タイミング（たとえば１０分前）に、告知データが発信され、対応する各カラオケボックス２のメッセージ表示部８ａ、８ｂに表示される。
【００２０】
図３に示されるように、本発明での実施例ではメッセージ表示部８ａ、８ｂと二つの表示部に分離されて構成されているが、１つであってもよく、適宜な数で構成されればよい。表示例としては、利用時間が残り１０分前であれば、８ａに「終了１０分前」と表示し、利用終了時間が到来すれば、８ｂに「利用時間終了」と表示する。また、別の表示例としては、利用時間が残り１０分前となった際に、８ａに「終了１０分前」と表示すると同時に、カラオケボックスの混み具合で、空いていれば「延長可能」、混雑時であれば「延長不可」など適宜選択される表示内容を８ｂに表示するなどしてもよい。
【００２１】
図３に図示したごとく、表示装置４のメインモニタ７とメッセージ表示部８ａ、８ｂは、信号入力系が別れており、メインモニタ７は、カラオケ装置からの背景映像データ、及び歌詞データを受けて表示するものであり、メッセージ表示部８ａ、８ｂは、ＰＯＳレジ１１からの残時間表示データを受けて表示するようになっているので、たとえメーカーの異なるカラオケ装置を入れ替えても、残時間表示システムになんら影響を与えることはない。
【００２２】
また、各カラオケボックス２内の音声出力装置２０は、特にヘッドホンで構成されることで、本発明がさらに効果的なものとなる。すなわち、カラオケ利用客は、歌唱に集中してカラオケを楽しんでいてもカラオケの表示装置である前面モニタに残時間が表示されるので確実に残り時間を把握できるようにしたものである。
【００２３】
次に、図４に基づいて、ＰＯＳレジ１１に貸出時間をセットしてから、各ラオケボックス２のメッセージ表示部８ａ、８ｂに残時間が表示される状態を説明する。カラオケ店の従業員は、カラオケ利用客がフロントにきて、利用時間を告げると、ＰＯＳレジ１１に貸出予定時間を入力する（ステップ１０１）。ＰＯＳレジ１１は、装置内の時計装置で現在時間を自動でセットし、貸出しを開始し、時間をカウントする（ステップ１０２）利用客は、各カラオケボックス２で、貸し出しを受けた時間内でカラオケを楽しむ。残時間表示タイミング（たとえば１０分前）になると（ステップ１０３）、残時間情報がＰＯＳレジ１１から発せられ、メッセージ表示部８ａ、８ｂに表示される（ステップ１０４）。この表示を受けて、延長する場合、利用客は、インターフォンや電話などでフロントに連絡し、所望の延長時間を告げるとステップ１０１に戻って、貸出時間が再セットされ、新たな時間がカウントされる。ステップ１０５で延長されなければ、利用客はフロントに戻り、精算処理（ステップ１０６）をして、カラオケボックスの利用を終了する。
【００２４】
上記の実施例で、ＰＯＳレジ１１において、利用時間管理手段と前記残時間情報指示手段が設けられているが、ＰＯＳレジ１１において、従業員が、利用客の申し出により、利用時間を入力した後、自動で残時間情報（たとえば１０分前）を出力されることで、ＰＯＳレジ１１の残時間表示タイミングを示したカラオケボックス２に対して、従業員が適宜なスイッチを押下することで（前記残時間情報指示手段）、各カラオケボックス２に残時間情報を発信するものであってもよい。
【００２５】
本発明によれば、各メーカーのカラオケ装置によらず、表示装置にダイレクトに利用時間における残時間を表示するので、カラオケ装置を任意に変更でき、カラオケシステムの構築が容易となり、産業上きわめて有益なものが提供できる。  
【符号の説明】
【００２６】
１・・・カラオケシステム
２・・・カラオケボックス
３・・・ＨＵＢ
４・・・表示装置
６・・・カラオケ装置
７・・・メインモニタ
８ａ、８ｂ・・・メッセージ表示部
９・・・メインモニタケーブル
１０・・・ＬＡＮケーブル
１１・・・ＰＯＳレジ
１２・・・レシート印字部
１３・・・キャッシュレジスタ
１４・・・通信装置
１５・・・操作パネル
１６・・・記憶部
１７・・・制御部
２０・・・音声出力装置（ヘッドホン）
【図１】
2013228572.tif 000003
【図２】
2013228572.tif 000004
【図３】
2013228572.tif 000005
【図４】
2013228572.tif 000006